(57)【要約】【課題】ゴルフコース上で浴びる眩しさの程度に応じて、手軽な操作で視野範囲を望むがまま調整できる、ゴルフプレーヤのための視野可変型遮光板を実現する。【解決手段】折り目Ｆを境にして、対をなす左側遮光部２Ｌと右側遮光部２Ｒとが折曲自在に連設されていると共に、左側遮光部２Ｌと右側遮光部２Ｒとに跨って、かつ、折り目Ｆの延長線を軸として、左右に線対称な折曲自在の目視確認用の開口部３が形成されていて、ゴルフプレーヤ４が左側遮光部２Ｌを左手で持ち、右側遮光部２Ｒを右手で持って、左側遮光部２Ｌと右側遮光部２Ｒとの間の折曲の程度を加減することで、開口部３の左右両端間距離Ｗを任意に調整して左右方向の視野を最適化する。【選択図】図３
0003191890.tif 000002
【実用新案登録請求の範囲】
【請求項１】
対をなす左側遮光部と右側遮光部とが湾曲自在又は折曲自在に連設されていると共に、前記左側遮光部と右側遮光部とに跨って、左右方向に湾曲自在又は折曲自在の目視確認用の開口部が形成されていて、ゴルフプレーヤが前記左側遮光部を左手で持ち、かつ、前記右側遮光部を右手で持って、前記左側遮光部と右側遮光部との間の湾曲の程度又は折曲の程度を加減することで、前記開口部の左右両端間距離を任意に調整して左右方向の視野を最適化することを特徴とするゴルフプレーヤのための視野可変型遮光板。
【請求項２】
折り目を境にして、対をなす左側遮光部と右側遮光部とが折曲自在に連設されていると共に、前記左側遮光部と右側遮光部とに跨って、かつ、前記折り目の延長線を軸として、左右に線対称な左右方向に折曲自在の目視確認用の開口部が形成されていて、ゴルフプレーヤが前記左側遮光部を左手で持ち、かつ、前記右側遮光部を右手で持って、前記左側遮光部と右側遮光部との間の折曲の程度を加減することで、前記開口部の左右両端間距離を任意に調整して左右方向の視野を最適化することを特徴とするゴルフプレーヤのための視野可変型遮光板。
【請求項３】
前記開口部は、Ｔ字型に穿孔されていることを特徴とする請求項１又は２記載のゴルフプレーヤのための視野可変型遮光板。
【請求項４】
前記開口部は、Ｃ字型又はＩ字型に穿孔されていることを特徴とする請求項１又は２記載のゴルフプレーヤのための視野可変型遮光板。
【請求項５】
前記開口部は、ロ字型に穿孔されていることを特徴とする請求項１又は２記載のゴルフプレーヤのための視野可変型遮光板。
【考案の詳細な説明】
【技術分野】
【０００１】
この考案は、ゴルフコース上でのスイングに先立って、現在の地点から目標位置を目視確認する際、まわりから差し込む強い日差しや照り返しなどのノイズを遮断又は軽減するために用いて好適なゴルフプレーヤのための視野可変型遮光板に関する。
【背景技術】
【０００２】
この種の視野遮光手段としては、たとえば、特許文献１に記載の視野制限用めがねが知られている。特許文献１に記載のめがねは、左右のレンズの中央に透光部を設け、周辺部を遮光シールなどで遮光してゴルフプレーヤの視野を制限する構成となっている。このような構成によれば、ゴルフプレーヤは、まわりから差し込む光のノイズによって、目標位置の確認行為やスイングの判断力が惑わされることもなく、プレーに専念できるので、技量の向上化を期待できる。
【先行技術文献】
【特許文献】
【０００３】
【特許文献１】特開２００３−２９５１２７号公報
【考案の開示】
【考案が解決しようとする課題】
【０００４】
しかしながら、特許文献１に記載のめがねは、上記したように、めがねレンズを必要とし、当然のことながら、めがねフレームも不可欠となるので、高価である。加えて、めがねレンズの中央に設けられた透光部は固定的なものであるため、まわりから差し込む強い日差しや照り返しを、思いのままには、可変的に取り除くことができない、という不具合がある。
【０００５】
この考案は、上述の事情に鑑みてなされたもので、ゴルフコース上で浴びる眩しさの程度に応じて、手軽な操作で視野範囲を望むがまま調整できる、ゴルフプレーヤのための視野可変型遮光板を提供することを目的としている。
【課題を解決するための手段】
【０００６】
上記課題を解決するために、請求項１記載の考案は、ゴルフプレーヤのための視野可変型遮光板に係り、対をなす左側遮光部と右側遮光部とが湾曲自在又は折曲自在に連設されていると共に、前記左側遮光部と右側遮光部とに跨って、左右方向に湾曲自在又は折曲自在の目視確認用の開口部が形成されていて、ゴルフプレーヤが前記左側遮光部を左手で持ち、かつ、前記右側遮光部を右手で持って、前記左側遮光部と右側遮光部との間の湾曲の程度又は折曲の程度を加減することで、前記開口部の左右両端間距離を任意に調整して左右方向の視野を最適化することを特徴としている。
【０００７】
請求項２記載の考案は、ゴルフプレーヤのための視野可変型遮光板に係り、折り目を境にして、対をなす左側遮光部と右側遮光部とが折曲自在に連設されていると共に、前記左側遮光部と右側遮光部とに跨って、かつ、前記折り目の延長線を軸として、左右に線対称な左右方向に折曲自在の目視確認用の開口部が形成されていて、ゴルフプレーヤが前記左側遮光部を左手で持ち、かつ、前記右側遮光部を右手で持って、前記左側遮光部と右側遮光部との間の折曲の程度を加減することで、前記開口部の左右両端間距離を任意に調整して左右方向の視野を最適化することを特徴としている。
【０００８】
請求項３記載の考案は、請求項１又は２記載のゴルフプレーヤのための視野可変型遮光板に係り、前記開口部が、Ｔ字型に穿孔されていることを特徴としている。
【０００９】
また、請求項４記載の考案は、請求項１又は２記載のゴルフプレーヤのための視野可変型遮光板に係り、前記開口部が、Ｃ字型又はＩ字型に穿孔されていることを特徴としている。
【００１０】
請求項５記載の考案は、請求項１又は２記載のゴルフプレーヤのための視野可変型遮光板に係り、前記開口部が、ロ字型に穿孔されていることを特徴としている。
【考案の効果】
【００１１】
この考案の構成によれば、ゴルフコース上でのスイングに先立って、まわりから差し込む強い日差しや照り返しなどのノイズを、ノイズが差し込む方向や状況に応じて、手軽な操作で、望むがまま可変的に遮断又は軽減できる。
それゆえ、ゴルフプレーヤは、まわりから差し込む光のノイズによって、目標位置の確認行為や（飛距離やスピンや打ち出し角度など）スイングの判断力が惑わされることもなく、プレーに専念できるので、技量の向上化を期待できる。加えて、目の負担を軽減でき、たとえ、目が疲労しても回復が早いので、ゴルフコース上でのプレーの快適化に資することができる。
【図面の簡単な説明】
【００１２】
【図１】この考案の第１の実施形態である視野可変型のゴルフプレーヤ用遮光板の構成を概略示す正面図である。
【図２】同遮光板の構成を概略示す斜視図である。
【図３】同遮光板の使用例を示す正面図である。
【図４】同遮光板の使用例を示す側面図である。
【図５】ティーイングランド上での同遮光板の使用例を示す模式的情景図である。
【図６】スルーザグリーン上での同遮光板の使用例を示す模式的情景図である。
【図７】グリーン上での同遮光板の使用例を示す模式的情景図である。
【図８】同遮光板のＣ字型開口部の左右両端幅を調整することで最適化された視野範囲を示す模式的情景図である。
【図９】この考案の第２の実施形態である視野可変型のゴルフプレーヤ用遮光板の構成を概略示す正面図である。
【図１０】同遮光板の構成を概略示す斜視図である。
【図１１】この考案の第３の実施形態である視野可変型のゴルフプレーヤ用遮光板の構成を概略示す正面図である。
【図１２】同遮光板の構成を概略示す斜視図である。
【図１３】同遮光板のＴ字型開口部の左右両端幅を調整することで最適化された視野範囲を示す模式的情景図である。
【図１４】この考案の第４の実施形態である視野可変型のゴルフプレーヤ用遮光板の構成及び使用例を示す正面図である。
【考案を実施するための最良の形態】
【００１３】
折曲自在又は湾曲自在の遮光板に、折曲線（折り目）又は湾曲中央線を軸に線対称な目視確認用の開口部を設け、使用時、ゴルフプレーヤが両手で持って、開口部の折曲の具合又は湾曲の具合を調整することで、開口部の左右両端幅を任意に変えて左右方向の視野範囲を最適化する。
【実施形態１】
【００１４】
図１は、この考案の第１の実施形態である視野可変型のゴルフプレーヤ用遮光板の構成を概略示す正面図、図２は、同遮光板の構成を概略示す斜視図、図３は、同遮光板の使用例を示す正面図、また、図４は、同遮光板の使用例を示す側面図である。
図１乃至図４に示すように、第１の実施形態であるゴルフプレーヤ用の遮光板１は、上部中央部に設けられた折り目Ｆを境にして、折り畳み自在、あるいは、開き角自在の左側遮光部２Ｌと右側遮光部２Ｒとを備えて構成されている。この遮光板１には、左側遮光部２Ｌと右側遮光部２Ｒとに跨って、かつ、折り目Ｆの延長線を軸として、左右に線対称で、展開時Ｃ字型凹状（あるいは、コ字型凹状）の開口部３が穿設されている。
【００１５】
上記遮光板１は、たとえば、折曲自在の平板状の素材の両面又は片面をペインティングしたり、着色シートを貼付するなどの不透光（遮光）処理を施すことにより形成される。遮光板１の素材としては、たとえば、厚紙（ボール紙）、合成樹脂板、木質板、金属板、これらの積層板または複合板を好適に挙げることができるが、これらに限定されない。素材の厚みは、折曲自在である限り、薄厚に限らず、また、平板に限らない。また、遮光板１や開口部３の縦横の寸法や寸法比も必要に応じて任意に変更し得る。さらに、この種の着色は、遮光性に優れる黒色を基調とするが、遮光できるのであれば、デザイン性などを考慮して、黒色以外の色調を選択できることはもちろんである。なお、不透光性の素材を用いる場合には、着色は省略しても良い。
【００１６】
上記開口部３は、ティーイングランド（図５）やスルーザグリーン上（図６）の現在の地点から遠く隔たる中間目標位置や、グリーン上のカップ６（図７）などの最終目標位置を目視確認するためのファインダとして用いて好適なもので、使用時、ゴルフプレーヤ（簡単に、プレーヤともいう）４が左側遮光部２Ｌを左手５Ｌで持ち、右側遮光部２Ｒを右手５Ｒで持って、折り目Ｆを軸として、左側遮光部２Ｌと右側遮光部２Ｒとの開きの程度（左側遮光部２Ｌと右側遮光部２Ｒとがなす角度）を加減することで、開口部３の左右両端間距離（この発明の明細書において、左右両端幅ともいう）Ｗの広狭を任意に調整して、目標位置を含む視野範囲から日差しや照り返しなどの妨害（撹乱要因）を排除できる視野最適化機能を有している。
【００１７】
この実施形態の開口部３は、互いに平行な左辺エッジと右辺エッジと、これらと直交する上辺エッジとの３辺から構成され、遮光板１の使用時、プレーヤ４の鼻が障害とならないように、遮光板１の下辺中央部が切り抜かれて（すなわち、下辺エッジが取り除かれて）、Ｃ字型凹状（コ字型凹状）に形成されている。必要に応じて、開口部３の角部に丸みを持たせても良い。なお、開口部３を除く遮光板１の外形輪郭は、この発明に実質的影響を与える部位ではないので、デザイン上の要請に応じて、任意の形状が採用されても良い。
【００１８】
次に、図面を参照して、上記構成の遮光板１の使用例について説明する。図５は、ティーイングランド上でティーショットする際に、プレーヤ４が、遮光板１の開口部３から覗き込んで、たとえば、ゴルフボールの現在位置から中間目標位置までの直線方向に目安をつけている場面を示している。図６は、スルーザグリーン上で、セカンドショット以降のショットをする際に、プレーヤ４が、遮光板１の開口部３から覗き込んで、たとえば、起伏に富む中間目標位置あるいはグリーン上の旗竿７までの直線方向を見定めている場面を示している。また。図７は、グリーン上でパッティングする際に、プレーヤ４が、遮光板１の開口部３から覗き込んで、たとえば、グリーン上でのゴルフボールの現在位置あるいはマークした位置からカップ６までの直線方向を確認している場面を示している。
【００１９】
ゴルフコース上の上記場面（図５乃至図７）において、プレーヤは、図３に示すように、遮光板１の開口部３を両眼に近づけ、図中の矢印Ａに示すように、左右の開き角を調整したり、図４に示すように、遮光板１を、矢印Ｂの方向に、近づけたり遠ざけることにより、両眼視野範囲を絞り込み、たとえば、ゴルフボールの現在位置から目標位置までの直線方向に目安をつけたり、直線方向を見定める。
【００２０】
図８は、遮光板１の開口部３の左右両端幅を調整することで、プレーヤ４が最適状態で両眼で目視できる、帯状の両眼視野範囲８を示す模式的情景図である。図８において、両眼視野範囲８の左側には、右眼だけが見ることができる単眼視野範囲９Ｌがあらわれ、両眼視野範囲８の右側には、左眼だけが見ることができる単眼視野範囲９Ｒが存在する。このとき、右眼だけがみることができる単眼視野範囲９Ｌでは、左眼は、左側遮光部２Ｌによって遮光されるので、開口部３の左辺エッジ線が、右眼だけの単眼視野範囲９Ｌと両眼視野範囲８との境界線１０Ｌとしてあらわれる。同様に、左眼だけが見ることができる単眼視野範囲９Ｒでは、右眼は、右側遮光部２Ｒによって遮光されるので、開口部３の右辺エッジ線が、左眼だけの単眼視野範囲９Ｒと両眼視野範囲８との境界線１０Ｒとしてあらわれる。この理由のため、両眼視野範囲８は、Ｉ字形の帯状となる。プレーヤ４は、遮光板１の左側遮光部２Ｌと右側遮光部２Ｒとの開き角を調整したり（図３中の矢印Ａ）、遮光板１を近づけたり遠ざける（図４中の矢印Ｂ）ことにより、Ｉ字形の帯幅（両眼視野幅）を任意に広狭変化させて、最適化された両眼視野範囲８を得る。
【００２１】
この考案の第１の実施形態によれば、ゴルフコース上でのスイングに先立って、まわりから差し込む強い日差しや照り返しなどのノイズを、ノイズが差し込む方向や状況に応じて、手軽な操作で、望むがまま可変的に遮断又は軽減できる。それゆえ、ゴルフプレーヤは、まわりから差し込む光のノイズによって、目標位置の確認行為や（飛距離やスピンや打ち出し角度など）スイングの判断力が惑わされることもなく、プレーに専念できるので、技量の向上化を期待できる。加えて、目の負担を軽減でき、たとえ、目が疲労しても回復が早いので、ゴルフコース上でのプレーの快適化に資することができる。
【実施形態２】
【００２２】
図９は、この考案の第２の実施形態である視野可変型のゴルフプレーヤ用遮光板の構成を概略示す正面図、図１０は、同遮光板の構成を概略示す斜視図である。
第２の実施形態の遮光板１１が、上記した第１の実施形態の遮光板１と大きく異なるところは、この第２の実施形態では、図９及び図１０に示すように、遮光板１１の上部中央部に山折の折り目Ｆを設けた他、山折の折り目Ｆの両側で、開口部３の上辺エッジの両端付近を通る左右一対の谷折の折り目ＶＬ、ＶＲを設けるようにした点である。上記以外の点では、この第２の実施形態の構成は、第１の実施形態の構成と略同一であるので、図９及び図１０において、図１及び図２の構成部分に対応する各部については、同一の符号を付して、その説明を省略する。
【００２３】
この第２の実施形態によっても、上記した第１の実施形態で述べたと略同様の効果を奏することができる。加えて、この第２の実施形態によれば、山折の折り目Ｆの他、左右一対の谷折の折り目ＶＬ、ＶＲが付加されているので、プレーヤ４の視野調整操作（折り曲げ操作）が一段と容易となる。
【実施形態３】
【００２４】
図１１は、この考案の第３の実施形態である視野可変型のゴルフプレーヤ用遮光板の構成を概略示す正面図、図１２は、同遮光板の構成を概略示す斜視図である。
この第３の実施形態の遮光板１２が、上記した第１の実施形態の遮光板１と大きく異なるところは、この第３の実施形態では、概略Ｃ字型凹状の開口部３に代えて、概略Ｔ字形凹状の開口部１３を用いて構成した点である。すなわち、この第３の実施形態では、開口部１３の上部１３Ｕの横幅は、それよりも下部１３Ｌの横幅に対して、一段と広幅に形成されている。これにより、開口部１３において、幅広の上部１３Ｕでは、両眼視野幅を比較的広げることができるので、あたりが見やすくなる一方、幅狭の下部１３Ｌでは、両眼視野幅を絞り込むことができる。
図１３は、この第３の実施形態の遮光板１２において、Ｔ字型の開口部１３の左右両端幅を調整することで最適化された視野範囲を示す模式的情景図である。
【００２５】
上記以外の点では、第３の実施形態の構成は、第１の実施形態の構成と略同一であるので、図１１乃至図１３において、図１、図２及び図８の構成部分に対応する各部については、同一の符号を付して、その説明を省略又は簡略化する。
【００２６】
この第３の実施形態によっても、上記した第１の実施形態で述べたと略同様の効果を奏することができる。加えて、この第３の実施形態によれば、日差しや照り返しなどのノイズ源が左右に広がっている周辺風景については、両眼視野幅を狭めた状態のままで、ノイズ源が左右に広がっていない周辺風景には、両眼視野幅を比較的広げることができて、あたりが見やすくなるので、ゴルフコース上でのプレーの快適化に一段と資することができる。
【実施形態４】
【００２７】
図１４は、この考案の第４の実施形態である視野可変型のゴルフプレーヤ用遮光板の構成及び使用例を示す正面図である。
第４の実施形態の遮光板１４が、上記した第１の実施形態の遮光板１と大きく相違するところは、第４の実施形態では、概略Ｃ字型凹状の開口部３に代えて、概略ロ字形の開口部１５を用いて構成した点である。
【００２８】
この第４の実施形態によっても、上記した第１の実施形態で述べたと略同様の効果を奏することができる。加えて、この第４の実施形態によれば、遮光板の強度の向上化を図ることができる。
【００２９】
以上、この考案の実施形態を図面を参照して詳述してきたが、具体的な構成はこの実施例に限られるものではなく、この考案の要旨を逸脱しない範囲の設計の変更等があってもこの発明に含まれる。たとえば、上述の実施形態では、開口部が、Ｔ字型、Ｃ字型（又はＩ字型）及びロ字型の場合について述べたが、これらに限らず、任意であり、たとえば、３角形状、逆３角形状、台形状、逆台形状、波型、曲線形状であっても良い。また、上述の実施形態では、左側遮光部と右側遮光部とが折曲自在に連設されている場合について述べたが、これに代えて、左側遮光部と右側遮光部とが湾曲自在に連設されるようにしても良い。また、折り目に代えて、ヒンジ手段を用いるようにしても良い。また、折り目の設置箇所及び個数は、任意であり、たとえば、蛇腹構成であっても良い。
【産業上の利用可能性】
【００３０】
この考案は、例えば、ゴルフ以外の野外競技にも用いることができる。
【符号の説明】
【００３１】
１、１１、１２、１４    遮光板（視野可変型遮光板）
２Ｌ    左側遮光部
２Ｒ    右側遮光部
３、８、１３、１５    目視確認用の開口部
Ｗ    開口部の左右両端幅（左右両端間距離）
Ｆ    折り目
【図１】
0003191890.tif 000003
【図２】
0003191890.tif 000004
【図３】
0003191890.tif 000005
【図４】
0003191890.tif 000006
【図５】
0003191890.tif 000007
【図６】
0003191890.tif 000008
【図７】
0003191890.tif 000009
【図８】
0003191890.tif 000010
【図９】
0003191890.tif 000011
【図１０】
0003191890.tif 000012
【図１１】
0003191890.tif 000013
【図１２】
0003191890.tif 000014
【図１３】
0003191890.tif 000015
【図１４】
0003191890.tif 000016